(57)【特許請求の範囲】
【請求項１】
遊技球を遊技領域（８）へと発射するための発射手段（２５）と、発射操作をするための発射ハンドル（２６）とを備え、前記発射ハンドル（２６）は支持ケース（３６）の前端側の大径のレバー支持部（４４）と、前側に握り部（３７）が固定され且つ前記レバー支持部（４４）の前側で前記支持ケース（３６）に固定されたレバー抑え部（４６）との間に、前記支持ケース（３６）内の操作軸（３８）を介して前記発射手段（２５）の調整機構に連動する発射レバー（３９）を回動自在に備えた弾球遊技機において、前記レバー抑え部（４６）から前記握り部（３７）内へと一体に突出する筒状の取り付け部（６３）内の前端部に、該取り付け部（６３）内に収まり且つ可聴周波数外の低周波振動により風を発生させて遊技者に有利な利益状態の発生の予告報知を行うスピーカ（６０）を後側から装着し、前記握り部（３２）は、その前面側の遊技者の掌に対応する部分に形成され且つ前記スピーカ（６０）からの風を吐出する小孔状の風吐出口（５９）と、該風吐出口（５９）を取り囲むように前記風吐出口（５９）の外周から前記握り部（３２内へと一体に突出して形成され且つ後端が前記取り付け部（４８）の前端外周に嵌合する筒部（６５）とを有し、前記スピーカ（６０）の後方側を開放状とし、前記筒部（６５）内を風通路（６１）としたことを特徴とする弾球遊技機。
【請求項２】
前記取り付け部（６３）の前端部の内周縁に前記スピーカ（６０）の外周縁が当接したことを特徴とする請求項１に記載の弾球遊技機。
【請求項３】
前記スピーカ（６０）を可聴周波数外の低周波の制御信号で駆動する制御手段（８０）を備えたことを特徴とする請求項１又は２に記載の弾球遊技機。
【請求項４】
前記制御手段（８０）は、前記スピーカ（６０）を可聴周波数の制御信号と可聴領周波数外の低周波の制御信号とで駆動可能であることを特徴とする請求項３に記載の弾球遊技機。
【発明の詳細な説明】
【０００１】
【発明の属する技術分野】
本発明は、パチンコ機、アレンジボール機等の弾球遊技機に関し、風を報知媒体として遊技者に利益状態の発生を予告報知できるようにしたものである。
【０００２】
【従来の技術】
パチンコ機等の弾球遊技機は、始動手段に遊技球が入賞することを条件に特別図柄表示手段の特別図柄を変動させると共に、この始動手段の遊技球の入賞に関連して、遊技者に有利な利益状態を発生させるか否かを抽選手段により抽選し、その抽選結果に基づいて変動後の特別図柄を特別態様又は非特別態様で停止させる。そして、抽選手段の抽選結果が利益状態を発生させるものである場合に、特別図柄が特別態様で停止した後、特別利益状態発生手段が特別利益状態を発生させる。
【０００３】
また変動後に特別態様となる可能性の高い特定の変動パターンで特別図柄が変動する場合に、その特別図柄の変動中に背景色を変化させたり、特別図柄表示手段の表示領域に特定のキャラクタを動画的に出現させたりする等の画像演出法で、特別図柄が変動後に特別態様となる可能性が高いことを報知する予告報知を行い、遊技者の興趣を喚起させる。また特別図柄の変動中にスピーカ等の音声発生手段から特定の音声を発生させて、その音声により予告報知を行うこともある。
【０００４】
【発明が解決しようとする課題】
従来の予告報知は、特別図柄の背景色の変化、特定のキャラクタの出現、特定の音声の発生等により、遊技者の視覚又は聴覚に訴える予告報知方式を採用しているが、遊技者の視覚又は聴覚に訴えるだけでは予告報知の斬新性に欠け、遊技者の興趣を十分に喚起できない欠点がある。
【０００５】
また近年では液晶式の特別図柄表示手段を採用して、その特別図柄表示手段の表示領域に特別図柄と動画とを組み合わせて表示する等、表示領域に非常に複雑な画像演出を行う傾向にある。しかし、特別図柄表示手段に出現する画像によって斬新な予告報知を行う画像予告報知方式の場合には、特別図柄表示手段に表示される画像が益々複雑になり、仮にその表示領域上において、予告報知を含む斬新性のある画像演出が可能であるとしても、画像が複雑であるために却って遊技者が予告報知を見落とす等の問題もある。
【０００６】
また多数の弾球遊技機を設置した遊技ホールでは、遊技球の衝突音、スピーカからの効果音の他に、音楽その他のホール内放送があるため、音声による予告報知方式の場合には、遊技ホール内の騒音が更に著しくなり、予告音声を聞き漏らす等の問題がある。
【０００７】
本発明は、このような従来の課題に鑑み、遊技者の触覚に訴えて斬新な予告報知を行える弾球遊技機を提供することを目的とする。
【０００８】
【課題を解決するための手段】
本発明は、遊技球を遊技領域８へと発射するための発射手段２５と、発射操作をするための発射ハンドル２６とを備え、前記発射ハンドル２６は支持ケース３６の前端側の大径のレバー支持部４４と、前側に握り部３７が固定され且つ前記レバー支持部４４の前側で前記支持ケース３６に固定されたレバー抑え部４６との間に、前記支持ケース３６内の操作軸３８を介して前記発射手段２５の調整機構に連動する発射レバー３９を回動自在に備えた弾球遊技機において、前記レバー抑え部４６から前記握り部３７内へと一体に突出する筒状の取り付け部６３内の前端部に、該取り付け部６３内に収まり且つ可聴周波数外の低周波振動により風を発生させて遊技者に有利な利益状態の発生の予告報知を行うスピーカ６０を後側から装着し、前記握り部３２は、その前面側の遊技者の掌に対応する部分に形成され且つ前記スピーカ６０からの風を吐出する小孔状の風吐出口５９と、該風吐出口５９を取り囲むように前記風吐出口５９の外周から前記握り部３２内へと一体に突出して形成され且つ後端が前記取り付け部４８の前端外周に嵌合する筒部６５とを有し、前記スピーカ６０の後方側を開放状とし、前記筒部６５内を風通路６１としたものである。
【０００９】
【発明の実施の形態】
以下、本発明の各実施形態を図面に基づいて説明する。図１〜図６は本発明を採用したパチンコ機の第１の実施形態を例示し、図１において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【００１０】
遊技盤４には、ガイドレール７が環状に装着されると共に、そのガイドレール７の内側の遊技領域８に特別図柄表示手段９、特別図柄始動手段１０、可変入賞手段１１、普通図柄表示手段１２、普通図柄始動手段１３、普通入賞手段１４等の複数個の遊技部品が配置されている。
【００１１】
前面板６には発射用の遊技球を貯留する上皿１５が装着され、またこの前面板６の裏側に対応して前枠３側に音声発生用スピーカ１６が装着されている。上皿１５は上皿本体１７と、この上皿本体１７を覆う上皿カバー１８とを備えている。音声発生用スピーカ１６は、遊技状態の変化に応じて効果音等を発生するようになっている。
【００１２】
特別図柄表示手段９は液晶式であって、その表示領域１９に横方向に複数個、例えば３個の特別図柄２０を変動表示可能であり、特別図柄始動手段１０が遊技球を検出することを条件に、その特別図柄２０が所定時間変動して、「７・７・７」等の予め定められた特定の組み合わせである特別態様又は非特別態様で停止するようになっている。普通図柄表示手段１２は１個の普通図柄を変動表示可能であり、普通図柄始動手段１３が遊技球を検出することを条件にその普通図柄が所定時間変動して、「７」等の予め定められた特定の組み合わせである所定態様又はこれ以外の非所定態様で停止するようになっている。
【００１３】
なお、特別図柄表示手段９の表示領域１９は、特別図柄２０の他、動画、その他の背景画像を表示可能である。普通図柄表示手段１２は特別図柄表示手段９の上部に設けられている。特別図柄２０、普通図柄には実施形態では数字図柄が使用されているが、アルファベット図柄、キャラクタ、その他の適宜遊技図柄を使用可能である。
【００１４】
特別図柄始動手段１０は、遊技球が入賞可能な開状態と入賞困難又は入賞不能な閉状態とに開閉する開閉式であって、開閉自在な左右一対の開閉爪２１を備えた電動チューリップが使用され、普通図柄表示手段１２の変動後の普通図柄が所定態様の場合に開閉爪２１が所定時間開放する。
【００１５】
可変入賞手段１１は、遊技球が入賞し易い開状態と入賞不能な閉状態とに開閉する開閉式であって、下部側の横軸廻りに開閉自在な開閉板２２を備え、特別図柄表示手段９の変動後の特別図柄２０が特別態様となって特別利益状態が発生した場合に開閉板２２が前側に開放する。可変入賞手段１１の内部には、入賞検出手段２３と特定領域検出手段２４とが設けられ、開閉板２２の開放から所定時間（例えば３０秒間）が経過するか、又は所定時間が経過するまでに入賞検出手段２３が所定数（例えば１０個）の遊技球を検出することを条件に開閉板２２を閉じ、特定領域検出手段２４が特定領域への遊技球の通過を検出することを条件に、最大所定回数（例えば１６回）まで開閉板２２の開放を繰り返すようになっている。
【００１６】
前枠３の下部には、その裏側に発射手段２５が装着されると共に、前面側に余剰球を貯留する下皿２９と、発射手段２５用の発射ハンドル２６とが設けられている。発射手段２５は、遊技球を遊技盤４の遊技領域８へと発射するためのもので、揺動自在に枢支された打撃槌２７と、この打撃槌２７を打撃方向に付勢する発射バネ２８と、この発射バネ２８に抗して打撃槌２７を駆動する発射モータ２９ａとを備え、発射モータ２９ａにより打撃槌２７を駆動し、上皿１５から発射レール３０上に１個づつ供給される遊技球を打撃槌２７により発射バネ２８のバネ力に応じて打撃して遊技領域８へと発射するようになっている。
【００１７】
下皿２９は図２にも示すように下皿本体３１と、この下皿本体３１を覆う下皿カバー３２とにより構成されており、この下皿２９の一側方に発射ハンドル２６が配置されている。下皿カバー３２には発射ハンドル２６の周辺で前枠３に近接して前枠３を前面から覆うカバー部３３が一体に形成され、下皿本体３１とカバー部３３との間に、上皿本体１７から抜き取られた遊技球を下皿本体３１へと案内する球案内通路３４等を覆い且つ前方に膨出する膨出部３５が設けられている。
【００１８】
発射ハンドル２６は発射手段２５による遊技球の発射操作用であって、図３、図４に示すように、前枠３側に固定された前後方向の支持ケース３６と、この支持ケース３６の前端側に固定された握り部３７と、支持ケース３６内に回動自在に挿通された操作軸３８と、操作軸３８の前端に固定され且つ握り部３７との間に操作軸３８廻りに回動自在に介在された発射レバー３９とを備えている。
【００１９】
支持ケース３６は前枠３の通孔４０に挿通され、後端側が取り付けベース４１側の通孔４０内で保持ケース４２に固定されている。取り付けベース４１は前枠３の裏側に装着され、この取り付けベース４１に打撃槌２７、発射モータ２９ａ等の発射機構が装着されている。支持ケース３６は前端側にラッパ状に広がる支持壁部４３と、この支持壁部４３の前側に形成された大径のレバー支持部４４とが一体に設けられ、その支持壁部４３に周方向に複数個のボス部４５を介してレバー抑え部４６がネジ等で取り付けられている。レバー抑え部４６には外周側に露出するように金属板等のタッチ部４７が設けられると共に、前側から球面状その他の適宜形状の握り部３７がボス部４８を介して装着されている。
【００２０】
操作軸３８は後端側で発射手段２５の発射バネ２８の調整機構（図示省略）に連動連結されており、この操作軸３８の前端側に発射レバー３９の支持板部４９が固定されている。支持板部４９には、発射レバー３９を操作軸３８廻りに回動操作できるように、各ボス部４５が貫通する周方向の長孔等の孔５０が形成されている。発射レバー３９は支持ケース３６のレバー支持部４４とレバー抑え部４６との間に介在されると共に、レバー支持部４４の外周に回動自在に套嵌されており、外周側に周方向に複数個の指掛け部５１が設けられている。
【００２１】
このパチンコ機には、図５に示すように、特別図柄表示手段９の変動後の特別図柄２０が特別態様となる可能性が高い場合に、それを予告報知する予告報知手段５４が設けられている。この予告報知手段５４は、特別図柄表示手段９の表示領域１９に表示される特別図柄２０の背景色の変化、特定のキャラクタの出現等により視覚的に予告報知を行う視覚式予告報知手段５５、又は音声発生用スピーカから予告音声を発生させて聴覚的に予告報知を行う聴覚式予告報知手段５６と、遊技者に対して風及び／又は圧力を報知媒体として送って予告報知を行う触覚式予告報知手段５７とを備えている。なお、触覚式予告報知手段５７がある場合、視覚式予告報知手段５５又は聴覚式予告報知手段５６は省略しても良いし、その全てを併用しても良い。視覚式予告報知手段５５には他の表示ランプ等を使用しても良い。
【００２２】
触覚式予告報知手段５７は、この実施形態では発射ハンドル２６等の操作部から風を吐出する風吐出手段５８により構成され、発射ハンドル２６内に組み込まれている。この風吐出手段５８は、図３、図４に示すように、発射ハンドル２６側、例えば握り部３７の表面に開口し且つ報知媒体である風を吐出する風吐出口５９と、風を発生させる風発生用スピーカ６０と、風発生用スピーカ６０で発生した風を風吐出口５９へと送る風通路６１とを備えている。
【００２３】
風吐出口５９は発射ハンドル２６を把持する遊技者の掌に対して風を吐出するように、発射ハンドル２６の握り部３７に設けられている。そして、この風吐出口５９は握り部３７に上下方向、左右方向等の所定方向に形成された複数個のスリット状の小孔により構成され、また風吐出口５９の裏側には、不正目的等で発射ハンドル２６内への棒、その他の部材の挿入を阻止するための阻止部６２が設けられている。なお、阻止部６２は、各小孔に対応する棒状等であって、各小孔との間に所定の間隔を置いて握り部３７の内側に一体に形成されている。風吐出口５９は小さい丸孔等でも良いし、その数は１個又は複数個でも良い。また風吐出口５９が複数個の場合には、集中的に配置しても良いし、分散して配置しても良い。
【００２４】
風発生用スピーカ６０は握り部３７内に設けられ、レバー抑え部４６の筒状の取り付け部６３に前向きに取り付けられている。そして、風発生用スピーカ６０には、振動板６４の低周波振動により予告報知に必要な風が発生するように、風吐出口５９の開口面積に比較して大きい口径を有するコーン型のスピーカが使用されている。なお、風発生用スピーカ６０には、コーン型以外のスピーカを使用しても良い。取り付け部６３の前端は、風吐出口５９を取り囲む筒部６５の後端に嵌合又は近接しており、その筒部６５の内部で風発生用スピーカ６０の前側に風通路６１が形成されている。筒部６５は風吐出口５９を取り囲むように握り部３７内に一体に形成されている。なお、タッチ部４７には風発生用スピーカ６０に対応して開口６６が形成されており、風発生用スピーカ６０の後方は振動板６４が振動し易くなるように開口６６により開放されている。
【００２５】
図６は制御系を示し、この制御系はその制御機能別に主制御基板６７、図柄制御基板６８、音声制御基板６９、ランプ制御基板７０、発射制御基板７１等により構成され、後述のように主制御基板６７から各制御基板６８〜７１へと所定のコマンドを一方向通信により送信するように構成されている。
【００２６】
主制御基板６７は主として遊技盤４側の各遊技部品による遊技動作を制御するためのもので、普通遊技制御手段７２と特別遊技制御手段７３とを備えている。普通遊技制御手段７２は、普通図柄始動手段１３の遊技球の検出を条件に所定利益状態を発生させるか否かを乱数抽選により抽選して、所定利益状態の発生を抽選した場合に、普通図柄表示手段１２の普通図柄が所定態様で停止した後に特別図柄始動手段１０を所定時間開放させるようになっている。
【００２７】
特別遊技制御手段７３は、特別図柄始動手段１０の遊技球の検出を条件に特別利益状態を発生させるか否かを乱数抽選により抽選する抽選手段７４と、この抽選手段７４の抽選結果に基づいて特別図柄２０の変動時の変動パターンを選択する変動パターン選択手段７５と、抽選手段７４が特別利益状態の発生を抽選した場合に特別図柄表示手段９の特別図柄２０が特別態様で停止した後に特別利益状態を発生させる特別利益状態発生手段７６とを備えている。
【００２８】
なお、特別利益状態が発生した場合には、可変入賞手段１１が開放し、多数の遊技球が入賞し易くなる。可変入賞手段１１は、開放後に所定時間経過するか、又はそれまでに所定数の遊技球が入賞したときに閉じ、また内部の特定領域検出手段２４が遊技球の通過を検出することを条件に最大所定回数まで特別利益状態を継続する。
【００２９】
特別図柄２０の変動パターンには、スーパーリーチ当たり、スーパーリーチ外れ、ノーマルリーチ当たり、ノーマルリーチ外れ、リーチなし等の複数種類の変動パターンがあり、変動パターン選択手段７５は抽選手段７４の抽選結果に基づいてその何れかの変動パターンを択一的に選択するようになっている。なお、変動パターンは出現率が低いほど変動後の特別図柄２０が特別態様となる信頼度が高くなっている。
【００３０】
図柄制御基板６８は、普通図柄制御手段７７と特別図柄制御手段７８とを備えている。普通図柄制御手段７７は、普通図柄始動手段１３の遊技球の検出を条件に普通図柄表示手段１２の普通図柄を所定時間変動させ、普通遊技制御手段７２の抽選結果が所定利益状態の場合に変動後の普通図柄を予め定められた「７」等の所定態様で停止させる機能を有する。
【００３１】
特別図柄制御手段７８は、特別図柄始動手段１０の遊技球の検出を条件に、変動パターン選択手段７５で選択された所定の変動パターンで特別図柄表示手段９の特別図柄２０を所定時間変動させて、特別遊技制御手段７３の抽選結果が特別利益状態の場合に特別態様、非特別利益状態の場合に非特別態様で夫々停止させる特別図柄制御機能と、変動パターン選択手段７５が変動後に特別態様となる変動パターン、変動後に非特別態様となる一部の変動パターン（一部のリーチ変動パターン）を選択した場合に、特別図柄２０がリーチ変動に移行する前及び／又は移行後の変動中に、特別図柄表示手段９の表示領域１９に背景色の変化、キャラクタの出現等によって、変動後の特別図柄２０が特別態様となる可能性が高い旨の予告報知を視覚的に行わせる予告報知制御機能とを有する。
【００３２】
音声制御基板６９は、音声制御手段７９と風発生制御手段８０とを備えている。音声制御手段７９は、特別遊技制御手段７３が特別利益状態を抽選した場合、特別利益状態が発生した場合等に、特別遊技制御手段７３からのコマンドに基づいて効果音を発生させて、その遊技状態を聴覚的に演出するように音声発生用スピーカ１６を可聴周波数の制御信号により制御する音声制御機能と、変動パターン選択手段７５が変動後に特別態様となる変動パターン、変動後に非特別態様となる一部の変動パターン（一部のリーチ変動パターン）を選択した場合に、特別図柄２０がリーチ変動に移行する前及び／又は移行後の変動中に、特別遊技制御手段７３からのコマンドに基づいて予告報知音を発生させて、変動後の特別図柄２０が特別態様となる可能性が高い旨の予告報知を聴覚的に行わせる音声予告制御機能とを有する。
【００３３】
風発生制御手段８０は、特別遊技制御手段７３からのコマンドに基づいて予告報知を行うか否かを判定し、変動パターン選択手段７５が変動後に特別態様となる変動パターン、変動後に非特別態様となる一部の変動パターン（一部のリーチ変動パターン）を選択した場合に、特別図柄２０がリーチ変動に移行する前及び／又は移行後の変動中に風吐出口５９から風を吐出させて、変動後の特別図柄２０が特別態様となる可能性が高い旨の予告報知を触覚的に行わせる風予告制御機能を有する。そして、風発生制御手段８０は、予告報知を行う旨の判定をした場合に、可聴周波数外の低周波の予告制御信号を所定時間発生して、その予告制御信号により風発生用スピーカ６０を駆動するようになっている。
【００３４】
発射制御基板７１は遊技者が発射ハンドル２６のタッチ部４７に接触状態のときに発射モータ２９ａを起動させて発射手段２５を作動させ、下皿２９内の遊技球が満杯状態になる等、ゲームを停止又は中止する必要がある場合に発射手段２５の作動を停止させるようになっている。ランプ制御基板７０は、遊技盤４側の遊技部品に装着された表示ランプ８１等を点灯又は点滅制御する。
【００３５】
ゲームに際しては、遊技者が発射ハンドル２６の握り部３７を把持してタッチ部４７に接触した状態で発射レバー３９を回動操作する。遊技者の手がタッチ部４７に接触すると、発射制御基板７１からの発射信号により発射モータ２９ａが起動し、また発射レバー３９を回動操作すると、操作軸３８を介して発射バネ２８のバネ力が上がるので、発射モータ２９ａが発射バネ２８に抗して打撃槌２７を駆動し、打撃槌２７が上皿１５から発射レール３０上に１個づつ供給される遊技球を発射バネ２８に応じたバネ力により打撃して、遊技盤４のガイドレール７を経て遊技領域８へと発射する。
【００３６】
発射手段２５により順次遊技球を発射すると、その遊技球は遊技領域８の盤面に沿って落下する間に普通入賞手段１４等に入賞するか、普通図柄始動手段１３を通過しながら下方へと落下する。遊技球が普通図柄始動手段１３を通過すると、普通遊技制御手段７２の乱数抽選の抽選結果に応じて普通図柄制御手段７７の制御により普通図柄表示手段１２の普通図柄が所定時間変動する。そして、普通図柄表示手段１２の変動後の普通図柄が例えば「７」等の所定態様になれば、普通遊技制御手段７２により遊技者に有利な所定利益状態が発生して特別図柄始動手段１０が所定時間開放し、この特別図柄始動手段１０に遊技球が入賞可能になる。
【００３７】
遊技球が特別図柄始動手段１０に入賞すると、特別遊技制御手段７３の抽選手段７４で特別利益状態を発生させるか否かを乱数抽選等により抽選し、その抽選結果に応じて変動パターン選択手段７５が特定の変動を選択して、そのコマンドを図柄制御基板６８、音声制御基板６９等へと送信する。図柄制御基板６８では特別図柄制御手段７８が主制御基板６７からのコマンドを解析して、変動パターン選択手段７５で選択された変動パターンで特別図柄表示手段９の特別図柄２０を制御し、特別図柄２０が所定の変動パターンで所定時間変動する。
【００３８】
また特別図柄制御手段７８では、その予告報知制御機能により、抽選手段７４の抽選結果、変動パターン選択手段７５の選択結果に基づいて予告報知を行うか否かを判定する。そして、抽選手段７４の抽選結果が特別利益状態を発生させる旨の場合には、予告報知の判定をして、特別図柄２０がリーチ変動に移行する前の適宜時点で特別図柄表示手段９の特別図柄２０の背景色を変化させる等によって、変動後の特別図柄２０が特別態様となる旨の予告報知を行う。
【００３９】
また音声制御基板６９の風発生制御手段８０でも、図柄制御基板６８側と同様に抽選手段７４の抽選結果、変動パターン選択手段７５の選択結果に基づいて予告報知を行うか否かを判定する。そして、抽選手段７４の抽選結果が特別利益状態を発生させる旨の場合には、特別図柄２０がリーチ変動に移行する前の適宜時点で風発生制御手段８０の予告制御信号により風発生用スピーカ６０を駆動する。風発生用スピーカ６０の振動板６４が前後に振動すると、振動板６４が前に移動するときに風通路６１内の空気を圧縮するため、握り部３７の風吐出口５９から脈流状の風が遊技者の掌へと吐出され、その風の吐出により遊技者に対して触覚的に予告報知を行う。
【００４０】
特別図柄表示手段９の変動後の特別図柄２０が例えば「７・７・７」等の特別態様になれば、特別利益状態発生手段７６によって遊技者に有利な特別利益状態が発生し、可変入賞手段１１が開放して多数の遊技球が入賞可能になる。また主制御基板６７からのコマンドに基づいて音声制御基板６９の音声制御手段７９が音声発生用スピーカ１６を駆動し、音声発生用スピーカ１６が効果音を発生して特別利益状態を聴覚的に演出すると共に、ランプ制御基板７０が各種の表示ランプを点滅させて特別利益状態を視覚的に演出する。
【００４１】
この実施形態の場合には、発生ハンドル２６の風吐出口５９から吐出する風を報知媒体として、遊技者に対して触覚的に予告報知を行うようにしているので、従来の聴覚的、視覚的な予告報知に比較して斬新な予告報知が可能である。また風発生手段に風発生用スピーカ６０を使用し、この風発生用スピーカ６０を発射ハンドル２６の握り部３７内に組み込んでいるため、構造的にも簡単であり、容易かつ安価に実施できる。更に風発生用スピーカ６０を可聴周波数以下の低周波の予告制御信号で駆動するようにしているため、風発生用スピーカ６０による風の発生が容易であると共に、その風発生用スピーカ６０の作動による騒音の発生等を防止できる。
【００４２】
図７は本発明の第２の実施形態を例示する。この実施形態では、音声制御基板６９に、風の発生周期等が異なる複数種類の予告報知用の風発生パターンを記憶する風発生パターン記憶手段８２と、特別遊技制御手段７３からのコマンドにより予告報知を行う場合に、複数種類の風発生パターンの何れかを択一的に選択する風発生パターン選択手段８３と、この風発生パターン選択手段８３での選択結果に基づいて風発生パターン記憶手段８２の記憶データを読み出して風発生用スピーカ６０を駆動する風発生制御手段８０とを設けている。
【００４３】
この場合には、複数種類の風発生パターンの何れかを択一的に選択して、その風発生パターンで風発生用スピーカ６０を駆動するので、風の発生周期等を代えて予告報知を行うことができる。従って、風を報知媒体とする予告報知であるにも拘らず、その予告報知に変化を持たせることが可能である。
【００４４】
図８は本発明の第３の実施形態を例示する。この実施形態では、音声制御基板６９の風発生制御手段８０は、風発生用スピーカ６０を可聴周波数の制御信号で制御する第１制御機能８０ａと、風発生用スピーカ６０を可聴周波数以下の低周波の予告制御信号で制御する第２制御機能８０ｂとを備え、その何れの制御でも風発生用スピーカ６０を駆動できるようになっている。
【００４５】
このようにすれば、風発生制御手段８０の第１制御機能８０ａにより、風発生用スピーカ６０を音声発生用として利用でき、発射ハンドル２６の風吐出口５９から効果音、予告報知音等の音声を発生させることができる。このため風発生用スピーカ６０を多岐の演出に活用できる。なお、風発生制御手段８０は第１制御機能８０ａと第２制御機能８０ｂとの何れかを択一的に制御するように構成することが望ましいが、第１制御機能８０ａで使用する場合には、風吐出口５９から多少の風を吐出させることができる。
【００４６】
図９は本発明の第４の実施形態を例示する。この実施形態では、発射ハンドル２６の握り部３７側に、風吐出口５９を取り囲み且つ裏側に突出する筒部６５が設けられ、その筒部６５の後端側に、風吐出口５９側に向かって風発生用スピーカ６０が装着されている。そして、取り付け部６３の内部が風通路６１となっている。
【００４７】
発射ハンドル２６内に風発生用スピーカ６０を設けるに当たっては、このように握り部３７側に風発生用スピーカ６０を取り付けることも可能である。なお、風発生用スピーカ６０の裏側のレバー抑え部４６等に開口６６を設ける等によって、風発生用スピーカ６０の裏側で発射ハンドル２６の内部空間を気密状にせずに外気と連通させておくことが望ましい。
【００４８】
図１０、図１１は本発明の第５の実施形態を例示する。この実施形態では、風発生用スピーカ６０は、発射ハンドル２６以外の部分、例えば下皿カバー３２内で下皿本体３１の発射ハンドル２６側に配置されている。そして、風発生用スピーカ６０は、下皿カバー３２の前側に膨出する膨出部３５内に配置され、カバー部３３から前側に屈曲して膨出する膨出壁部８４の途中に、これと一体に形成された取り付け部８７を介して取り付けられている。
【００４９】
風発生用スピーカ６０の前側と風吐出口５９との間に、この両者間を接続する密閉状の風通路６１が設けられ、その風通路６１は下皿カバー３２側の第１通路８８と、発射ハンドル２６内の第２通路８９とにより構成されている。第１通路８８は、下皿カバー３２側の通路壁部９０とその裏側の前枠３との間に左右方向に形成されている。通路壁部９０はカバー部３３から前側に突出する縦断面コ字状、Ｕ字状等であって、膨出部３５側の膨出壁部８４と発射ハンドル２６の基部側、例えば支持ケース３６の外周とにわたって左右方向に連続状に形成されている。そして、通路壁部８４の一端側は支持ケース３６の基部側を取り囲む構造になっており、その一端部の開口部９１に支持ケース３６が前側から挿入され、開口部９１の外周側の嵌合部９２に支持ケース３６のレバー支持部４４の後端側が嵌合している。なお、通路壁部８４と支持ケース３６は一体でも良い。
【００５０】
第２通路８９は支持ケース３６の支持壁部４３に形成された通孔９３、レバー支持部４４の内部空間、発射レバー３９の通孔９４、レバー抑え部４６の通孔９５、握り部３７の内部空間等によって構成されている。支持壁部４３の通孔９１は通路壁部９０内の第１通路８８に連通している。
【００５１】
このように風発生用スピーカ６０を下皿カバー３２の内部に設ける等、発射ハンドル２６以外の部分に設けて、この風発生用スピーカ６０により風を発生させて、その風を風通路６１を介して発射ハンドル２６の握り部３７側の風吐出口５９から吐出させることも可能である。この場合には、風発生用スピーカ６０に大径のものを使用することができる。また発射ハンドル２６の内部空間を風通路６１の一部に利用して、その内部空間を介して風吐出口５９へと風を送るようにしているため、風吐出口５９が握り部３７側にあるにも拘らず、風通路６１を外部に設ける場合に比較して構造を簡単にできる。
【００５２】
図１２は本発明の第６の実施形態を例示する。この実施形態では、遊技機本体１の前面側に、遊技者が操作する操作部（例えば発射ハンドル２６）又はその近傍に向かって風を吐出するように風吐出手段５８が設けられている。風吐出手段５８は前面板６等に装着された風発生用の送風ファン９６と、上皿カバー１８に形成され且つ遊技者の手等に風を吐出するように発射ハンドル２６の握り部３７又はその近傍に向かって開口する風吐出口５９と、上皿カバー１８内に設けられ且つ送風ファン９６からの風を風吐出口５９へと案内する風通路６１とを備え、発射ハンドル２６の上方側の近傍で上皿カバー１８内に組み込まれている。風通路６１は上皿カバー１８内でその前壁部９７等と一体又は別体に形成された筒部９８により構成されている。送風ファン９６は上皿カバー１８内で駆動モータ９９を介して前面板６等に装着され、駆動モータ９９は予告報知制御基板１００側に設けられた風発生制御手段８０により制御される。予告報知制御基板１００は専用の基板でも良いし、他の制御基板６８〜７１の何れかと兼用しても良い。
【００５３】
この場合には、風発生制御手段８０が主制御基板６７からのコマンドに基づいて予告報知を行う旨の判定をすると、送風ファン９６を回転させる。そして、この送風ファン９６から風通路６１を経て風吐出口５９へと送風し、その風吐出口５９から発射ハンドル２６の握り部３７側へと風を吐出する。従って、遊技者が発射ハンドル２６の握り部３７を把持するか、又はその握り部３７に手を添えておけば、その風が遊技者の手に当たるので、前述の各実施形態と同様に風を報知媒体として予告報知を行うことができる。
【００５４】
なお、操作部又はその近傍に風を吐出可能であれば、風吐出手段５８は上皿カバー１８の他、前枠３側、下皿カバー３２側等の何処に配置しても良い。また下皿カバー３２内に風吐出手段５８を設ける場合にも、第５の実施形態以外の構造を採用しても良い。更に送風ファン９６以外の風発生手段を採用しても良い。
【００５５】
図１３は本発明の第７の実施形態を例示する。この実施形態では、遊技機本体１の前面側の上部、例えばガラス扉５の上部側に装着された大当たり表示ランプ等の装飾手段１０１の内部又はその近傍に、遊技者の顔に向かって風を吐出するように風吐出手段５８が設けられている。
【００５６】
遊技ホールでは遊技機本体１の前に配置された椅子１０２に座って遊技者が遊技を行うため、遊技者の顔の位置は概ね一定であり、このように遊技機本体１の上部等に風吐出手段５８を設けておけば、その風吐出手段５８から遊技者の顔に対して風を吐出することにより触覚的に予告報知を行うことができる。なお、風吐出手段５８は、遊技者の顔に対して風を吐出可能であれば、ガラス扉５の上部の他、前枠３の側部、上皿カバー１８等の何処に配置しても良い。
【００５７】
以上、本発明の各実施形態について詳述したが、本発明はこれらの各実施形態に限定されるものではなく、その趣旨を逸脱しない範囲内で種々の変更が可能である。
【００５８】
各実施形態では、風吐出手段５８を設けて、その風吐出口５９から吐出する風を報知媒体として触覚的に予告報知を行う場合を例示したが、風の他、空気圧（ガス圧）等の圧力を報知媒体として使用することも可能である。例えば、第１の実施形態において、遊技者が握り部３７の風吐出口５９を掌で塞いだ場合には、風発生用スピーカ６０が低周波振動しても、風吐出口５９から風は吐出しない。しかし、風発生用スピーカ６０の前側が略密閉状態にあるため、振動板６４が前側に移動したときに風通路６１内の圧力が上昇するので、遊技者はそのときの圧力変化により触覚的に予告報知を把握できる。第４の実施形態の場合も同様である。
【００５９】
この場合には、風吐出手段５８は圧力吐出手段、風吐出口５９は圧力吐出口、風発生用スピーカ６０は圧力発生用スピーカ、風通路６１は圧力通路となる。従って、風及び圧力を包含する上位概念的には、それらは報知媒体吐出手段、報知媒体吐出口、報知媒体発生手段、報知媒体通路となる。
【００６０】
また圧力を報知媒体とする場合には、その圧力変化を遊技者が触覚的に感知できれば良いので、例えば第１の実施形態、第２の実施形態の構造において、発射ハンドル２６の握り部３７の風吐出口５９を単なる開口とし、その開口を閉塞するように、弾性変形可能な薄板状、シート状等の感圧部材を握り部３７の表面側に装着しておき、この感圧部材を介して圧力の変化を遊技者が感知するようにしても良い。風及び／又は圧力を報知媒体として予告報知を行う場合、その風及び／又は圧力の発生、その他による演出は適宜決定すれば良い。
【００６１】
実施形態では、主制御基板６７に図柄制御基板６８、音声制御基板６９、ランプ制御基板７０等の複数個の演出制御基板を、主制御基板６７から各制御基板６８〜７０へと所定のコマンドを一方向通信により送信可能に接続しているが、主制御基板６７に図柄制御基板６８、音声制御基板６９、ランプ制御基板７０等の演出制御基板の１個又は２個を一方向通信可能に接続し、他の演出制御基板と主制御基板６７に接続された演出制御基板とを双方向通信可能に接続し、他の演出制御基板と主制御基板６７に接続された演出制御基板との何れかに風発生の演出制御を行う風発生制御手段８０を設けても良い。
【００６２】
図柄制御基板６８と音声制御基板６９、音声制御基板６９とランプ制御基板７０、図柄制御基板６８とランプ制御基板７０とを一体化する等、異なる演出制御機能を備えた２個又は３個の複数個の制御基板を一体の基板構成としても良い。つまり、１個の演出制御基板に異なる複数種類の演出制御機能に持たせても良い。その場合にも、一体化された演出制御基板（異なる複数種類の演出制御機能を有する演出制御基板）に風発生の演出制御を行う風発生制御手段８０を設けても良いし、一体化されていない演出制御基板（個別の演出制御機能を有する音声制御基板６９等の専用の演出制御基板）に風発生制御手段８０を設けても良い。
【００６３】
更に一体化された演出制御基板と、これとは別の演出制御基板との何れかを、主制御基板６７に一方向通信可能に接続し、一体化された演出制御基板と、別の演出制御基板とを双方向通信可能に接続しても良い。双方向通信可能に複数個の演出制御基板を接続する場合には、各演出制御基板に、夫々の演出制御目的に応じた演出抽選機能を持たせても良いし、１個又は２個等の一部の演出制御基板に、複数の演出制御目的に応じた演出抽選機能を持たせても良い。
【００６４】
また本発明はパチンコ機の他、アレンジボール機、雀球遊技機等の弾球遊技機は勿論のこと、回胴式遊技機等でも同様に実施できる。なお、弾球遊技機では発射手段２５が操作部となるが、回胴式遊技機の場合には、回胴リールの始動レバー、停止スイッチ等が操作部となる。
【００６５】
【発明の効果】
本発明によれば、スピーカ６０からの風により遊技者の触覚に訴えて斬新な予告報知を行うことができる。
【図面の簡単な説明】
【図１】本発明の第１実施形態を示すパチンコ機の正面図である。
【図２】本発明の第１実施形態を示すパチンコ機の下皿部分の平面図である。
【図３】本発明の第１実施形態を示す発射ハンドルの側面断面図である。
【図４】本発明の第１実施形態を示す発射ハンドルの平面断面図である。
【図５】本発明の第１実施形態を示す制御系の概略ブロック図である。
【図６】本発明の第１実施形態を示す制御系のブロック図である。
【図７】本発明の第２実施形態を示す制御系のブロック図である。
【図８】本発明の第３実施形態を示す制御系のブロック図である。
【図９】本発明の第４実施形態を示す発射ハンドルの縦断面図である。
【図１０】本発明の第５実施形態を示す発射ハンドル部分の平面断面図である。
【図１１】本発明の第５実施形態を示す発射ハンドル部分の正面断面図である。
【図１２】本発明の第６実施形態を示す構成図である。
【図１３】本発明の第７実施形態を示すパチンコ機装着状態の正面図である。
【符号の説明】
２６  発射ハンドル
５４  予告報知手段
５７  触覚式予告報知手段
５８  風吐出手段
５９  風吐出口
６０  風発生用スピーカ
６１  風通路
７４  抽選手段
８０  風発生制御手段
９６  送風ファン
【図１】
0003953310.tif 000002
【図２】
0003953310.tif 000003
【図３】
0003953310.tif 000004
【図４】
0003953310.tif 000005
【図５】
0003953310.tif 000006
【図６】
0003953310.tif 000007
【図７】
0003953310.tif 000008
【図８】
0003953310.tif 000009
【図９】
0003953310.tif 000010
【図１０】
0003953310.tif 000011
【図１１】
0003953310.tif 000012
【図１２】
0003953310.tif 000013
【図１３】
0003953310.tif 000014